(57)【要約】      （修正有）【課題】ポケットティッシュを収容するポケットティッシュ用ケースであって、多くの固定面に固定することができ、ティッシュにホコリが堆積することのないものを提供する。【解決手段】ポケットティッシュ用ケース１は、ティッシュを収容する箱体２及び箱体を被固定面に固定する固定具３を備える。取出孔２ａ０からティッシュを取り出して使用することができる。箱体の短辺Ｄの長さを大きくして、複数の袋のポケットティッシュを収容することができる。またティッシュ挿入面を覆う蓋部を設けること、ティッシュ挿入面から箱体内に挿入可能な引き出しを備えることにより、ホコリの堆積を防止することができる。【選択図】図１
0003209086.tif 000002
【実用新案登録請求の範囲】
【請求項１】
ポケットティッシュを収容するポケットティッシュ用ケースであって、
長辺及び該長辺より短い中辺に囲まれる前面及び後面、前記長辺及び前記中辺より短い短辺に囲まれる上面及び下面、並びに前記中辺及び前記短辺に囲まれる右側面及び左側面を有する略直方体状の箱体であり、
前記前面は、取出孔を備え、
前記後面は、箱体を被固定面に固定する固定具を備え、
前記上面、前記右側面、及び前記左側面のうちのいずれかは少なくとも一部が開口する挿入面であることを特徴とするポケットティッシュ用ケース。
【請求項２】
前記長辺の長さＷは、１００ｍｍ≦Ｗ≦１４０ｍｍであり、
前記中辺の長さＨは、７０ｍｍ≦Ｈ≦１００ｍｍであり、
前記短辺の長さＤは、Ｄ≧７ｍｍであることを特徴とする、請求項１に記載のポケットティッシュ用ケース。
【請求項３】
前記固定具は、吸盤、磁石、及び両面付着テープのいずれかであることを特徴とする、請求項２に記載のポケットティッシュ用ケース。
【請求項４】
前記固定具は、吸盤であることを特徴とする、請求項３に記載のポケットティッシュ用ケース。
【請求項５】
前記取出孔は、前記長辺に平行方向の長さｗ及び前記中辺に平行方向の長さｈの矩形状を有し、ｗ≧（３／４）Ｗ、ｈ≧１０ｍｍであることを特徴とする、請求項２〜４のいずれか一項に記載のポケットティッシュ用ケース。
【請求項６】
前記取出孔は、前記前面上で前記上面側の前記長辺に達していることを特徴とする、請求項５に記載のポケットティッシュ用ケース。
【請求項７】
ｈ≧２０ｍｍであることを特徴とする、請求項５又は６に記載のポケットティッシュ用ケース。
【請求項８】
Ｄ≧２０ｍｍであることを特徴とする、請求項２〜７のいずれか一項に記載のポケットティッシュ用ケース。
【請求項９】
前記箱体内に収容されるティッシュを前記前面側に寄せて支持する支持具をさらに備えることを特徴とする、請求項８に記載のポケットティッシュ用ケース。
【請求項１０】
前記前面側が開口し、前記挿入面から前記箱体内に挿入可能な引き出しを備えることを特徴とする、請求項１〜９のいずれか１項に記載のポケットティッシュ用ケース。
【請求項１１】
前記後面から延設されて前記挿入面を覆う蓋部を備えることを特徴とする、請求項１〜９のいずれか１項に記載のポケットティッシュ用ケース。
【考案の詳細な説明】
【技術分野】
【０００１】
本考案は、ポケットティッシュを収容するポケットティッシュ用ケースに関する。
【背景技術】
【０００２】
複数のティッシュペーパー（単にティッシュと呼ぶ）を袋体に収容して携帯サイズのポケットティッシュが、店頭、街頭等において頻繁に配布される。ポケットティッシュは、携帯するのに便利である一方、使用頻度が少ないため溜まってしまうことがある。そこで、収容具に収容しつつ効率良く使用したいという要求がある。
【０００３】
例えば特許文献１には、複数のティッシュを収容する収容箱（所謂、ボックスティッシュ）を磁石により冷蔵庫の側面等、使い勝手の良い場所に固定してティッシュを取り出し易くするティッシュペーパーホルダが開示されている。しかし、このティッシュペーパーホルダはボックスティッシュ用のホルダである。ここで、ボックスティッシュは、ティッシュを１枚抜き取ると、次の１枚の一部が収容箱から露出するように複数のティッシュが折り重ねられているのに対して、ポケットティッシュは、複数のティッシュが単に重ねられているため、特許文献１のティッシュペーパーホルダにポケットティッシュを収容してもティッシュを取り出すことができない。
【０００４】
また、特許文献２には、四角筒状の本体部の内側をティッシュの収容部とし、裏面に磁石部を設け、前面には溝部を設け、上面を開放して挿入口とし、下面も開放して取り出し口とし、収容したティッシュの脱落防止のために本体部の内側下部に出っ張り部を設けたポケットティッシュ収容具が開示されている。このポケットティッシュ収容具では、ポケットティッシュの外装フィルムを剥がし、一枚一枚個別に折り畳まれたティッシュをまとめて収容することで、ティッシュを取り出しやすくなっている。しかし、特に上面が開放され、開放面に１枚のティッシュが面しているため、最上面の１枚のティッシュにホコリが堆積してしまう。
【０００５】
また、特許文献３には、コの字状の金属棒によりボックスティッシュの収容箱を取り付けることのできるティッシュペーパ保持具が開示されている。特許文献１のティッシュペーパーホルダ及び特許文献２のポケットティッシュ収容具は磁石により磁着面（金属面その他の磁石をつけることのできる面）のみにそれらを固定することができるのに対して、特許文献３のティッシュペーパ保持具は、自動車の座席の背もたれ等の掛止部に掛けることができる。しかし、例えば箪笥の側面といった磁着面以外の面に固定することができない点では特許文献１及び２に開示されたものと同様の問題を有する。
【先行技術文献】
【特許文献】
【０００６】
【特許文献１】実開平０７−００６１８０号公報
【特許文献２】特開２００４−０８９６４０号公報
【特許文献３】特開２００２−２６３０３１号公報
【考案の概要】
【考案が解決しようとする課題】
【０００７】
本考案は、ポケットティッシュを収容するポケットティッシュ用ケースであって、多くの固定面に固定することができ、ティッシュにホコリが堆積することのないものを提供することを課題とする。
【課題を解決するための手段】
【０００８】
本考案のポケットティッシュ用ケースは、
ポケットティッシュを収容するポケットティッシュ用ケースであって、
長辺及び該長辺より短い中辺に囲まれる前面及び後面、前記長辺及び前記中辺より短い短辺に囲まれる上面及び下面、並びに前記中辺及び前記短辺に囲まれる右側面及び左側面を有する略直方体状の箱体であり、
前記前面は、取出孔を備え、
前記後面は、箱体を被固定面に固定する固定具を備え、
前記上面、前記右側面、及び前記左側面のうちのいずれかは少なくとも一部が開口する挿入面であることを特徴とする。
【０００９】
この特徴によれば、挿入面からポケットティッシュ（ティッシュ）を挿入してポケットティッシュ用ケースに保管し、取出孔から取り出して使用することができる。また、固定具によって、使用しやすい場所の被固定面に箱体（ポケットティッシュ用ケース）を固定することができる。
【００１０】
本考案のポケットティッシュ用ケースは、
前記長辺の長さＷは、１００ｍｍ≦Ｗ≦１４０ｍｍであり、
前記中辺の長さＨは、７０ｍｍ≦Ｈ≦１００ｍｍであり、
前記短辺の長さＤは、Ｄ≧７ｍｍであることを特徴とする。
【００１１】
この特徴によれば、ティッシュを、その厚み方向を短辺に平行な方向に向けて、箱体内に収容することができる。
【００１２】
本考案のポケットティッシュ用ケースは、
前記固定具は、吸盤、磁石、及び両面付着テープのいずれかであることを特徴とする。
【００１３】
この特徴によれば、固定具により、箱体を被固定面に着脱可能に固定することができる。
【００１４】
本考案のポケットティッシュ用ケースは、
前記固定具は、吸盤であることを特徴とする。
【００１５】
この特徴によれば、固定具により、箱体を磁着面以外の被固定面に着脱可能に固定することができる。
【００１６】
本考案のポケットティッシュ用ケースは、
前記取出孔は、前記長辺に平行方向の長さｗ及び前記中辺に平行方向の長さｈの矩形状を有し、ｗ≧（３／４）Ｗ、ｈ≧１０ｍｍであることを特徴とする。
【００１７】
この特徴によれば、ユーザは、２つの手指を取出孔に挿入して、箱体内に収容されたティッシュを掴み、取り出すことができる。
【００１８】
本考案のポケットティッシュ用ケースは、
前記取出孔は、前記前面上で前記上面側の前記長辺に達していることを特徴とする。
【００１９】
この特徴によれば、ティッシュを斜めに取り出すことが容易になり、ユーザの手指により、取出孔を介して、箱体内に収容されたティッシュを取り出しやすくなる。
【００２０】
本考案のポケットティッシュ用ケースは、
ｈ≧２０ｍｍであることを特徴とする。
【００２１】
この特徴によれば、ユーザがティッシュを取り出す際に取出孔の周縁に手指を触れないようにできる。ポケットティッシュ用ケースの材質にかかわらず、安全に使用することができる。
【００２２】
本考案のポケットティッシュ用ケースは、
Ｄ≧２０ｍｍであることを特徴とする。
【００２３】
この特徴によれば、２袋分以上のポケットティッシュを重ねて箱体内に収容することができる。
【００２４】
本考案のポケットティッシュ用ケースは、
前記箱体内に収容されるティッシュを前記前面側に寄せて支持する支持具をさらに備えることを特徴とする。
【００２５】
この特徴によれば、箱体内に収容されるポケットティッシュが、支持具により常に前面側に寄せられ、ティッシュを取り出しやすくなる。
【００２６】
本考案のポケットティッシュ用ケースは、
前記前面側が開口し、前記挿入面から前記箱体内に挿入可能な引き出しを備えることを特徴とする。
【００２７】
この特徴によれば、引き出し内にポケットティッシュを収容し、その引き出しを、開口を箱体の前面側に向けて、箱体の挿入面から箱体内に挿入することでポケットティッシュを箱体内に収容するとともに、挿入面からティッシュにホコリが堆積してしまうことを防止することができる。
【００２８】
本考案のポケットティッシュ用ケースは、
前記後面から延設されて前記挿入面を覆う蓋部を備えることを特徴とする。
【００２９】
この特徴によれば、蓋部により挿入面を覆うことで、箱体内に収容されたティッシュを覆ってホコリ等の付着を防止することができる。
【考案の効果】
【００３０】
本考案のポケットティッシュ用ケースは、多くの固定面に固定することができ、ティッシュにホコリが堆積することのないものである。
【図面の簡単な説明】
【００３１】
【図１】図１は、ポケットティッシュ用ケースの構成を示す図である。（実施例１）
【図２】図２は、ポケットティッシュ用ケースを示す斜視図である。（実施例１）
【図３】図３は、箱体の構成を示す展開図である。（実施例１）
【図４】図４は、ポケットティッシュ用ケースの構成を示す図である。（実施例２）
【図５】図５は、ポケットティッシュ用ケースを示す斜視図である。（実施例２）
【図６】図６は、箱体の構成を示す展開図である。（実施例２）
【図７】図７は、ポケットティッシュ用ケースの構成を示す図である。（実施例３）
【図８】図８は、ポケットティッシュ用ケースを示す斜視図である。（実施例３）
【図９】図９は、ポケットティッシュ用ケースの構成を示す図である。（実施例４）
【図１０】図１０は、支持具の作用を示す断面図である。（実施例４）
【考案を実施するための形態】
【００３２】
以下、本考案の実施例について説明する。
【実施例１】
【００３３】
本実施例は、ポケットティッシュ用ケース１の基本的な構成を説明するものである。
【００３４】
図１に、ポケットティッシュ用ケース１の構成を示す。ここで、図１（Ａ）〜（Ｅ）は、それぞれ、ポケットティッシュ用ケース１の上面２ｃ側の構成を示す平面図、前面２ａ側の構成を示す正面図、下面２ｄ側の構成を示す底面図、右側面２ｅ側の構成を示す右側面図（左側面２ｆ側の構成も同様）、及び後面２ｂ側の構成を示す背面図である。ポケットティッシュ用ケース１は、ティッシュ９を収容するケースであり、箱体２、固定具３から構成される。なお、ティッシュ９は、収容袋から出された複数のティッシュとする。ただし、複数のティッシュが収容袋に収容された状態でポケットティッシュ用ケース１に収容し、使用後のポケットティッシュの収容袋もティッシュと同様に取り出してもよい。
【００３５】
箱体２は、ティッシュ９を収容する略直方体状の部材であり、長い順に長辺、中辺、及び短辺を有し、各２つの長辺及び中辺に囲まれる前面２ａ及び後面２ｂ、長辺及び短辺に囲まれる上面２ｃ及び下面２ｄ、並びに中辺及び短辺に囲まれる右側面２ｅ及び左側面２ｆを有する。ここで、箱体２において、長辺の長さＷは１００ｍｍ≦Ｗ≦１４０ｍｍ、中辺の長さＨは７０ｍｍ≦Ｈ≦１００ｍｍ、短辺の長さＤはＤ≧７ｍｍとすべきである。本実施例では、Ｗ＝１２０ｍｍ、Ｈ＝８５ｍｍ、Ｄ＝１０ｍｍとする。このサイズにより、ポケットティッシュを、その厚み方向を短辺に平行な方向に向けて、箱体内に収容することができる。
【００３６】
前面２ａは、その中央に取出孔２ａ０が形成されている。ここで、取出孔２ａ０は、一例として図面横方向を長手とする略矩形状であり、長辺に平行方向の長さｗ及び中辺に平行方向の長さｈに対してｗ≧（３／４）Ｗ、ｈ≧１０ｍｍ（好ましくはｈ≧２０ｍｍ）である。ｈ≧１０ｍｍであることにより、ユーザの２つの手指を取出孔２ａ０に挿入して、箱体２内に収容されたティッシュを掴み、取り出すことができる。ｗ≧（３／４）Ｗであることにより、ポケットティッシュ９の図面左右方向の端部が取出孔２ａ０にひっかかることなく取り出すことができる。また、ｈ≧２０ｍｍとすることにより、ユーザがティッシュを取り出す際に取出孔の周縁に手指を触れないようにできる。ポケットティッシュ用ケースの材質にかかわらず、安全に使用することができる。本実施例では、ｗ＝９２ｍｍ、ｈ＝３３ｍｍとした。ただし、図１（Ｂ）に替えて図１（Ｂ２）のようにｈを大きくとり、取出孔２ａ０が上辺に達するようにしてもよい。ティッシュ９を斜め上方に向けて取り出すことが容易になり、箱体内に収容されたティッシュを取り出しやすくなる。
【００３７】
なお、取出孔２ａ０は、前面２ａ上で上面２ｃ側の長辺に達して形成してもよい。それにより、ティッシュを斜めに取り出すことが容易になり、ユーザの手指により、取出孔を介して、箱体内に収容されたティッシュを取り出しやすくなる。
【００３８】
上面２ｃは、少なくとも一部（本実施例では全部）が開口する挿入面である。なお、上面２ｃに限らず、右側面２ｅ又は左側面２ｆを少なくとも一部が開口する挿入面としてもよい。これにより、挿入面からティッシュ９を箱体２内に挿入することができる。
【００３９】
後面２ｂには、その中央に、後述する固定具３が設けられている。
【００４０】
固定具３は、箱体２を被固定面に固定する部材である。固定具３として、吸盤、磁石、及び両面付着テープ（両面テープ、面ファスナ等）を採用することができる。固定具３により、箱体２を被固定面に着脱可能に固定することができる。なお、本実施例では、固定具３として吸盤を採用する。吸盤は、その吸着面を箱体２の後ろ側に向けて後面２ｂに固定されている。それにより、箱体２を、前面２ａを前側に向けて、磁着性を有さないものを含む任意の被固定面に着脱可能に固定することができる。例えば、箪笥の側面や室内の壁面にポケットティッシュ用ケース１を固定することができ、便利である。
【００４１】
図２に、ポケットティッシュ用ケース１を斜視図で示す。
【００４２】
図３に、箱体２の展開構成を示す。箱体２は、図面上下方向にそれぞれ長辺を介して連なる前面２ａ、下面２ｄ、及び後面２ｂ、並びに前面２ａに対して図面左右方向にそれぞれ中辺を介して連なる第１右側面２ｅ１及び第１左側面２ｆ１、後面２ｂに対して図面左右方向にそれぞれ中辺を介して連なる第２右側面２ｅ２及び第２左側面２ｆ２を有する。箱体２は、一例として合成樹脂、紙材等を用いて構成することができ、下面２ｄを区画する２つの長辺を折り曲げ、前面２ａを区画する中辺及び後面２ｂを区画する中辺をそれぞれ折り曲げ、第１右側面２ｅ１及び第２右側面２ｅ２を重ねて圧着又は接着し、第１左側面２ｆ１及び第２左側面２ｆ２を重ねて圧着又は接着することで上面が開いた箱体状に成形することができる。
【００４３】
以上詳細に説明したように、本実施例のポケットティッシュ用ケース１は、長辺及びこの長辺より短い中辺に囲まれる前面２ａ及び後面２ｂ、長辺及び中辺より短い短辺に囲まれる上面２ｃ及び下面２ｄ、並びに中辺及び短辺に囲まれる右側面２ｅ及び左側面２ｆを有する略直方体状の箱体２、箱体２を被固定面に固定する固定具３を備え、前面２ａは、取出孔２ａ０が形成され、上面２ｃ、右側面２ｅ、及び左側面２ｆのうちのいずれかは少なくとも一部が開口する挿入面である。少なくとも一部が開口する挿入面である上面２ｃ、右側面２ｅ、及び左側面２ｆのいずれかを上方に向けて箱体２を固定具３により被固定面に固定し、その挿入面からティッシュ９を箱体２内に挿入することで、挿入面の開口及び取出面の取出孔を除く箱体２の部分によりティッシュ９が被覆されてホコリの堆積を減少できるとともに、取出孔２ａ０を介してティッシュ９を取り出すことができる。なお、上面２ｃを挿入面としているので、ホコリは何枚ものティッシュ９の側面に向けて落下する。１枚のみのティッシュに多くのホコリが堆積することがない点が特許文献２と相違する。
【００４４】
なお、ポケットティッシュ用ケース１は、挿入面である上面２ｃ、右側面２ｅ、又は左側面２ｆを上方に向けて箱体２を被固定面に固定するに限らず、横方向に向けて固定して、使用してもよい。
【実施例２】
【００４５】
本実施例は、蓋部２ｇを備えたポケットティッシュ用ケース１を説明するものである。蓋部２ｇ及び固定具３以外は実施例１と同様であり、詳細な説明を省略する。
【００４６】
図４に、ポケットティッシュ用ケース１の構成を示す。ここで、図４（Ａ）〜（Ｅ）は、それぞれ、ポケットティッシュ用ケース１の上面２ｃ側の構成を示す平面図、前面２ａ側の構成を示す正面図、下面２ｄ側の構成を示す底面図、右側面２ｅ側の構成を示す右側面図（左側面２ｆ側の構成も同様）、及び後面２ｂ側の構成を示す背面図である。
【００４７】
箱体１２は、ティッシュ９を収容する略直方体状の部材であり、前面２ａの中央上側に固定部材２ａ１（図７等参照）が設けられていることを除いて、先述の箱体２と同様に構成されている。
【００４８】
蓋部２ｇは、後面２ｂの上側の長辺を介して接続する矩形状の第１面及びこれに接続する台形状の第２面を有する。第２面の中央には固定部材２ｇ０が設けられている。
【００４９】
図５に、ポケットティッシュ用ケース１を斜視図で示す。
【００５０】
固定部材２ｇ０を固定部材２ａ１に固定して、蓋部２ｇを箱体２に固定する。それにより、蓋部２ｇにより挿入面を覆い、箱体２内に収容されたティッシュ９を覆ってホコリの付着を防止することができる。なお、固定部材２ｇ０，２ａ１として例えば互いに異なる磁極を対向する２つの磁石を用いることができる。ティッシュ９を箱体２内に挿入する際には、固定部材２ｇ０を固定部材２ａ１から外して蓋部５を上方に上げて、箱体２の挿入面を開けることができる。
【００５１】
固定具３は、両面テープ３ｂである。両面テープ３ｂの片面が後面２ｂに貼付され、他面は保護シールが付されている。保護シールを剥がして固定面に箱体２を固定する。それにより、実施例１と同様に、前面２ａを前側に向けて、磁着性を有さないものを含む任意の被固定面に固定することができる。被固定面と前面とが平行になる。ただし、固定を解除する場合には、両面テープの粘性体が被固定面に残存する。
【００５２】
図６に、ポケットティッシュ用ケース１における箱体１２の展開構成を示す。箱体１２は、先述の箱体２と同様に連なる前面２ａ、下面２ｄ、後面２ｂ、第１右側面２ｅ１及び第１左側面２ｆ１、並びに第２右側面２ｅ２及び第２左側面２ｆ２を有し、さらに、後面２ｂにその図面下側の長辺を介して連なる蓋部２ｇを有する。下面２ｄを区画する２つの長辺を折り曲げ、後面２ｂを構成する図面下側の長辺を折り曲げ、蓋部２ｇの第１及び第２面の間を折り曲げ、前面２ａを区画する中辺及び後面２ｂを区画する中辺をそれぞれ折り曲げ、第１右側面２ｅ１及び第２右側面２ｅ２を重ねて圧着又は接着し、第１左側面２ｆ１及び第２左側面２ｆ２を重ねて圧着又は接着することで蓋部２ｇにより上面が開閉可能な箱体状に成形することができる。
【００５３】
以上詳細に説明したように、本実施例のポケットティッシュ用ケース１は、蓋部２ｇにより、ホコリの堆積を防止することができる。
【００５４】
なお、固定部材２ａ１を孔部２ａ０よりも上方に設けたが、下方に設けることとしてもよい。孔部２ａ０からのホコリの堆積を防止することができる。ただし、ティッシュ９を引き出す際に固定部材２ｇ０を固定部材２ａ１から外して蓋部５を上方に上げることが必要となる。
【実施例３】
【００５５】
本実施例は、引き出し４を備えたポケットティッシュ用ケース１を説明するものである。挿入面が右側面２ｅであること、引き出し４及び固定具３以外は実施例１と同様であり、詳細な説明を省略する。
【００５６】
図７に、ポケットティッシュ用ケース１の構成を示す。ここで、図７（Ａ）〜（Ｆ）は、それぞれ、ポケットティッシュ用ケース１の上側の構成を示す平面図、前面２ａ側の構成を示す正面図、下面２ｄ側の構成を示す底面図、右側面２ｅ側の構成を示す右側面図、左側面２ｆ側の構成を示す左側面図、及び後面２ｂ側の構成を示す背面図である。上面２ｃは挿入面ではなく、閉じられている。右側面２ｅが挿入面であり、引き出し４が挿入される。引き出し４は、図面において両向き白矢印で示した方向にスライドする。
【００５７】
引き出し４は、一面（本実施例では上面）が開いた箱体状に形成されている。引き出し４には、箱体２に収容された時に孔部２ａ０と合致する箇所に孔部４ａが設けられている。引き出し４内に上面からティッシュ９を収容し、孔部４ａを箱体２の前面２ａ側に向けて、挿入面から箱体２内に挿入する。それにより、ティッシュ９を箱体２内に収容してホコリの堆積を防止するとともに、引き出し４の孔部４ａ及び箱体２の取出面の取出孔２ａ０からティッシュ９を取り出すことができる。
【００５８】
図８に、ポケットティッシュ用ケース１を斜視図で示す。
【００５９】
固定具３は、磁石３ｃである。磁着性の（主に金属の）被固定面に着脱可能に固定することができる。また、引き出し４の後面に磁着性の材質を用いることで、使用時における引き出し４の離脱を防止することもできる。
【００６０】
以上詳細に説明したように、本実施例のポケットティッシュ用ケース１は、引き出し４により全面が閉じた形となり、ホコリの堆積を防止する。
【００６１】
なお、引き出し４を上面が開いた箱体状に形成したが、前面が開いた箱体状に形成してもよい。それにより、孔部４ａが不要となる。ただし、引き出し４を箱体２から抜き出す際に、ティッシュ９が前面から落下しないように注意する。
【実施例４】
【００６２】
本実施例は、短辺の長いポケットティッシュ用ケース１を説明するものである。短辺の長さＤ及び支持具５以外は実施例１と同様であり、詳細な説明を省略する。
【００６３】
図９に、ポケットティッシュ用ケース１の構成を示す。ここで、図９（Ａ）〜（Ｅ）は、それぞれ、ポケットティッシュ用ケース１の上面２ｃ側の構成を示す平面図、前面２ａ側の構成を示す正面図、下面２ｄ側の構成を示す底面図、右側面２ｅ側の構成を示す右側面図（左側面２ｆ側の構成も同様）、及び後面２ｂ側の構成を示す背面図である。。
【００６４】
短辺の長さＤは、複数の袋のポケットティッシュを重ねて箱体２内に収容するため、Ｄ≧２０ｍｍとすることが好ましい。本実施例ではＤ＝２５ｍｍとする。
【００６５】
Ｄが大きいと、少量のティッシュ９のみを箱体２に収容した場合に、ティッシュ９が斜めになり、取り出しが容易でなくなってしまう場合がある。そこで、支持具５によって箱体２内に収容されたティッシュ９を前面２ａの側に寄せて支持する。
【００６６】
支持具５として、本実施例では板バネを採用している。板バネは、その一端を箱体２の後面２ｂの内面上に、その下端を下面２ｄに向けて固定されている。ティッシュ９を、挿入面２ｃから箱体２内に挿入すると、支持具５により箱体内に収容されたティッシュ９が前面に圧着されて支持され、ティッシュ９を取り出しやすくなる。
【００６７】
図１０に、支持具の作用を示す。図１０は、図９（Ａ）におけるＳ−Ｓ線の断面図である。図１０（Ａ）にティッシュ９のない状態を示す。少量のティッシュ９を収容した場合には、図１０（Ｂ）のように、ティッシュ９が前面２ａに向けて押される。板バネが湾曲し、図１０（Ｃ）に示すように多量のティッシュを収容することもできる。
【００６８】
なお、支持具５として、一端を箱体２の後面２ｂの内面上に固定されるスプリングばねを採用してもよい。又は、支持具５として、前面２ａに平行な板体を採用し、板体を短辺に平行な方向にガイドする部材或いは溝等を側面２ｅ、２ｆ又は底面２ｄに設けてもよい。
【００６９】
以上詳細に説明したように、本実施例のポケットティッシュ用ケース１は、短辺の長さＤが大きく、多くのティッシュを収容して保管することができる。
【００７０】
少量のティッシュ９のみを箱体２に収容した場合に、ティッシュ９が斜めになってしまうことのないよう、支持具５を設けている。ただし、ユーザが十分な量のティッシュを常に収容するものとして支持具５を設けないこととしてもよい。
【産業上の利用可能性】
【００７１】
本考案のポケットティッシュ用ケースは、ポケットティッシュを収容するポケットティッシュ用ケースであって、多くの固定面に固定することができ、ティッシュにホコリが堆積することのないものである。多くの個人による利用が考えられる。
【符号の説明】
【００７２】
１      ポケットティッシュ用ケース
２      箱体
２ａ    前面
２ａ０  取出孔
２ａ１  固定部材
２ｂ    後面
２ｃ    上面
２ｄ    下面
２ｅ    右側面
２ｆ    左側面
２ｇ    蓋部
２ｇ０  固定部材
３      固定具
３ａ    吸盤
３ｂ    両面テープ
３ｃ    磁石
４      引き出し
４ａ    取出孔
５      支持具
９      ティッシュ
【図１】
0003209086.tif 000003
【図２】
0003209086.tif 000004
【図３】
0003209086.tif 000005
【図４】
0003209086.tif 000006
【図５】
0003209086.tif 000007
【図６】
0003209086.tif 000008
【図７】
0003209086.tif 000009
【図８】
0003209086.tif 000010
【図９】
0003209086.tif 000011
【図１０】
0003209086.tif 000012